(57)【特許請求の範囲】
【請求項１】
被検体にスカウトスキャンを行ってスカウト像を取得するスカウト像取得手段と、
前記スカウト像取得手段により取得されたスカウト像に基づいて、前記被検体が小児であるか否かを判定する第１の判定手段と、
前記第１の判定手段により前記被検体が小児であると判定された場合に、設定されているスキャン計画が小児向けであるか否かを判定する第２の判定手段とを備えているＸ線ＣＴ装置。
【請求項２】
前記第１の判定手段は、前記取得されたスカウト像に含まれている所定の部位の大きさに基づいて、前記被検体が小児であるか否かを判定する請求項１に記載のＸ線ＣＴ装置。
【請求項３】
前記第１の判定手段は、前記取得されたスカウト像に含まれている所定の部位の大きさおよび該部位の画素値の大きさに基づいて、前記被検体が小児であるか否かを判定する請求項１に記載のＸ線ＣＴ装置。
【請求項４】
前記所定の部位は、頭部、肩部、肺部、心臓部、臀部、または大腿部である請求項２または請求項３に記載のＸ線ＣＴ装置。
【請求項５】
前記第１の判定手段は、前記取得されたスカウト像における解剖学的特徴点間の距離に基づいて、前記被検体が小児であるか否かを判定する請求項１に記載のＸ線ＣＴ装置。
【請求項６】
前記スキャン計画は、スキャンパラメータの値を含んでおり、
前記第２の判定手段は、設定されている前記スキャンパラメータの値が、予め定められている所定の範囲内であるか否かを判定する請求項１から請求項５のいずれか一項に記載のＸ線ＣＴ装置。
【請求項７】
前記スキャン計画は、スキャンパラメータの値を含んでおり、
前記第２の判定手段は、設定されている前記スキャンパラメータの値が、設定可能な上限値または下限値であるか否かを判定する請求項１から請求項５のいずれか一項に記載のＸ線ＣＴ装置。
【請求項８】
前記スキャンパラメータは、ガントリ１回転時間、Ｘ線管電圧、Ｘ線管電流およびヘリカルピッチのうち少なくとも１つを含んでいる請求項６または請求項７に記載のＸ線ＣＴ装置。
【請求項９】
前記スキャン計画は、被曝量予測値の算出に用いる演算式を含んでおり、
前記第２の判定手段は、設定されている前記演算式が小児用の演算式であるか否かを判定する請求項１から請求項５のいずれか一項に記載のＸ線ＣＴ装置。
【請求項１０】
前記スキャン計画は、スキャンパラメータの値のプリセットを含んでおり、
前記第２の判定手段は、設定されている前記プリセットが小児用のプリセットであるか否かを判定する請求項１から請求項５のいずれか一項に記載のＸ線ＣＴ装置。
【請求項１１】
前記第２の判定手段により、設定されているスキャン計画が小児向けでないと判定されたときに、小児向けのスキャン計画を提示する提示手段をさらに備えている請求項１から請求項１０のいずれか一項に記載のＸ線ＣＴ装置。
【発明の詳細な説明】
【技術分野】
【０００１】
本発明は、スキャン（scan）計画を設定するＸ線ＣＴ（Computed Tomography）装置に関する。
【背景技術】
【０００２】
Ｘ線ＣＴ装置による撮影に際し、操作者は、Ｘ線ＣＴ装置においてスキャン計画を設定する。このとき、操作者は、被検体が小児であるか否かを判断し、小児であれば小児向けのスキャン計画を設定する（例えば、特許文献１，段落［００２５］等参照）。
【０００３】
例えば、小児は成人と比較して放射線による悪影響が大きいため、Ｘ線管電圧やＸ線管電流を抑え目に設定する。
【０００４】
また例えば、小児は成人と比較して体動が大きくなりがちで被写体ぶれが起きやすいため、スキャンタイム（scan time）すなわちガントリ（gantry）１回転時間を短めに設定したり、ヘリカルピッチ（helical pitch）を大きめに設定したりする。
【０００５】
また例えば、小児は成人と比較して体格が小さいので、被曝量予測値を小児用演算式により算出する小児用スキャンプロトコル（scan protocol）を選択する。
【先行技術文献】
【特許文献】
【０００６】
【特許文献１】特開２００６−０５５２３５号公報
【発明の概要】
【発明が解決しようとする課題】
【０００７】
しかしながら、操作者は、例えば、被検体が小児であるにも拘らず、そのことをうっかり忘れて成人向けのスキャン計画を設定してしまうことがある。また例えば、病院等が定めたスキャン計画に関する方針に誤りがあった場合、それに気が付かずにその方針に従い、小児に対して不適正なスキャン計画を設定してしまうことがある。
【０００８】
このような事情により、被検体が小児である場合に、小児向けでないスキャン計画の設定を防止することできるＸ線ＣＴ装置が望まれている。
【課題を解決するための手段】
【０００９】
第１の観点の発明は、被検体にスカウトスキャン（scout scan）を行ってスカウト像を取得するスカウト像取得手段と、前記スカウト像取得手段により取得されたスカウト像に基づいて、前記被検体が小児であるか否かを判定する第１の判定手段と、前記第１の判定手段により前記被検体が小児であると判定された場合に、設定されているスキャン計画が小児向けであるか否かを判定する第２の判定手段とを備えているＸ線ＣＴ装置を提供する。
【００１０】
第２の観点の発明は、前記第１の判定手段が、前記取得されたスカウト像に含まれている所定の部位の大きさに基づいて、前記被検体が小児であるか否かを判定する上記第１の観点のＸ線ＣＴ装置を提供する。
【００１１】
第３の観点の発明は、前記第１の判定手段が、前記取得されたスカウト像に含まれている所定の部位の大きさおよび該部位の画素値の大きさに基づいて、前記被検体が小児であるか否かを判定する上記第１の観点のＸ線ＣＴ装置を提供する。
【００１２】
第４の観点の発明は、前記所定の部位が、頭部、肩部、肺部、心臓部、臀部、または大腿部である上記第２の観点または第３の観点のＸ線ＣＴ装置を提供する。
【００１３】
第５の観点の発明は、前記第１の判定手段が、前記取得されたスカウト像における解剖学的特徴点間の距離に基づいて、前記被検体が小児であるか否かを判定する上記第１の観点のＸ線ＣＴ装置を提供する。
【００１４】
第６の観点の発明は、前記スキャン計画が、スキャンパラメータ（scan parameter）の値を含んでおり、前記第２の判定手段が、設定されている前記スキャンパラメータの値が、予め定められている所定の範囲内であるか否かを判定する上記第１の観点から第５の観点のいずれか一つの観点のＸ線ＣＴ装置を提供する。
【００１５】
第７の観点の発明は、前記スキャン計画は、スキャンパラメータの値を含んでおり、前記第２の判定手段が、設定されている前記スキャンパラメータの値が、設定可能な範囲の上限値または下限値であるか否かを判定する上記第１の観点から第５の観点のいずれか一つの観点のＸ線ＣＴ装置を提供する。
【００１６】
第８の観点の発明は、前記スキャンパラメータが、ガントリ１回転時間、Ｘ線管電圧、Ｘ線管電流およびヘリカルピッチのうち少なくとも１つを含んでいる上記第６の観点または第７の観点のＸ線ＣＴ装置を提供する。
【００１７】
第９の観点の発明は、前記スキャン計画が、被曝量予測値の算出に用いる演算式を含んでおり、前記第２の判定手段が、設定されている前記演算式が小児用の演算式であるか否かを判定する上記第１の観点から第５の観点のいずれか一つの観点のＸ線ＣＴ装置を提供する。
【００１８】
第１０の観点の発明は、前記スキャン計画が、スキャンパラメータの値のプリセット（preset）を含んでおり、前記第２の判定手段が、設定されている前記プリセットが小児用のプリセットであるか否かを判定する上記第１の観点から第５の観点のいずれか一つの観点のＸ線ＣＴ装置を提供する。
【００１９】
第１１の観点の発明は、前記第２の判定手段により、設定されているスキャン計画が小児向けでないと判定されたときに、小児向けのスキャン計画を提示する提示手段をさらに備えている上記第１の観点から第１０の観点のいずれか一つの観点のＸ線ＣＴ装置を提供する。
【発明の効果】
【００２０】
上記観点の発明によれば、被検体が小児であるか否かをスカウト像を基に自動判定させ、ここで小児であると判定されたときに、さらにスキャン計画の設定が小児向けであるか否かを自動判定させることができ、被検体が小児である場合に、小児向けでないスキャン計画の設定を防止することできる。
【図面の簡単な説明】
【００２１】
【図１】本実施形態に係るＸ線ＣＴ装置の構成を概略的に示す図である。
【図２】ガントリを側面から見たときの図である。
【図３】本実施形態に係るＸ線ＣＴ装置におけるスキャン計画処理に関わる部分の機能ブロック図である。
【図４】本実施形態に係るＸ線ＣＴ装置におけるスキャン計画処理の流れを示すフローチャート（flowchart）である。
【図５】スキャンプロトコルの一例を示す図である。
【図６】被検体のスカウト像の一例を示す図である。
【図７】スカウト像の解析の一例を示す図である。
【図８】被検体の小児／成人判定基準の一例を示す図である。
【図９】スキャン計画適否判定基準および提示条件の一例を示す図である。
【図１０】スキャン計画適否判定基準および注意表示の一例を示す図である。
【発明を実施するための形態】
【００２２】
以下、発明の実施形態について説明する。
【００２３】
図１は、本実施形態に係るＸ線ＣＴ装置の構成を概略的に示す図である。
【００２４】
図１に示すように、本Ｘ線ＣＴ装置は、ガントリ２、撮影テーブル（table）４、および操作コンソール（console）６を備えている。ガントリ２は、Ｘ線管２０を有している。Ｘ線管２０から放射されたＸ線（不図示）は、アパーチャ（aperture）２２により、例えば扇状のファンビーム（fan
beam）やコーンビーム（cone beam）などのＸ線ビームとなるように成形され、Ｘ線検出器２４に照射される。
【００２５】
Ｘ線検出器２４は、扇状のＸ線ビームの広がり方向（チャネル（channel）方向という）および厚み方向（列方向という）に、２次元的に配列された複数のＸ線検出素子を有している。
【００２６】
Ｘ線検出器２４にはデータ（data）収集部２６が接続されている。データ収集部２６は、Ｘ線検出器２４の個々のＸ線検出素子による検出データを投影データとして収集する。Ｘ線管２０からのＸ線の照射は、Ｘ線コントローラ（controller）２８によって制御される。なお、Ｘ線管２０とＸ線コントローラ２８との接続関係については図示を省略している。
【００２７】
Ｘ線コントローラ２８がＸ線管２０に供給する管電圧および管電流に関するデータが、データ収集部２６によって収集される。なお、Ｘ線コントローラ２８とデータ収集部２６との接続関係については図示を省略している。
【００２８】
アパーチャ２２は、アパーチャコントローラ３０によって制御される。なお、アパーチャ２２とアパーチャコントローラ３０との接続関係については図示を省略している。
【００２９】
以上のＸ線管２０からアパーチャコントローラ３０までのものが、ガントリ２の回転部３４に搭載されている。回転部３４の回転は、回転コントローラ３６によって制御される。なお、回転部３４と回転コントローラ３６との接続関係については図示を省略している。
【００３０】
撮影テーブル４は、図示しない被検体をガントリ２のＸ線照射空間に搬入および搬出するようになっている。
【００３１】
操作コンソール６は、中央処理装置６０を有している。中央処理装置６０は、例えばコンピュータ（computer）等によって構成されている。中央処理装置６０には、制御インタフェース（interface）６２が接続されている。制御インタフェース６２には、ガントリ２と撮影テーブル４が接続されている。中央処理装置６０は、制御インタフェース６２を通じてガントリ２および撮影テーブル４を制御する。
【００３２】
ガントリ２内のデータ収集部２６、Ｘ線コントローラ２８、アパーチャコントローラ３０および回転コントローラ３６が、制御インタフェース６２を通じて制御される。なお、それら各部と制御インタフェース６２との個別の接続については図示を省略している。
【００３３】
中央処理装置６０には、また、データ収集バッファ（buffer）６４が接続されている。データ収集バッファ６４には、ガントリ２のデータ収集部２６が接続されている。データ収集部２６で収集されたデータが、データ収集バッファ６４を通じて中央処理装置６０に入力される。
【００３４】
中央処理装置６０は、操作者による操作に応じて本スキャンのスキャン計画処理を行う。また、データ収集バッファ６４を通じて収集した複数ビュー（view）の投影データを用いて画像再構成を行う。画像再構成には、例えばフィルタード・バックプロジェクション（filtered back
projection）法による３次元画像再構成処理等が用いられる。
【００３５】
中央処理装置６０には、また、記憶装置６６が接続されている。記憶装置６６は、各種のデータや再構成画像および本Ｘ線ＣＴ装置の機能を実現するためのプログラム（program）等を記憶している。
【００３６】
中央処理装置６０には、また、表示装置６８と入力装置７０がそれぞれ接続されている。表示装置６８は、中央処理装置６０から出力される再構成画像やその他の情報を表示する。入力装置７０は、操作者によって操作され、各種の指示や情報等を中央処理装置６０に入力する。操作者は、表示装置６８および入力装置７０を使用してインタラクティブ（interactive）に本Ｘ線ＣＴ装置を操作する。
【００３７】
図２は、ガントリを側面から見たときの図である。図２に示すように、Ｘ線管２０から放射されたＸ線は、アパーチャ２２により扇状のＸ線ビーム４００となるように成形され、Ｘ線検出器２４に照射されるようになっている。このようなＸ線ビーム４００の扇面に体軸を交差させて、撮影テーブル４に載置された被検体８がＸ線照射空間に搬入される。
【００３８】
Ｘ線照射空間は、ガントリ２の筒状構造の内側空間に形成される。Ｘ線ビーム４００によってスライス（slice）された被検体８の像が、Ｘ線検出器２４に投影される。Ｘ線検出器２４によって、被検体８を透過したＸ線が検出される。被検体８に照射するＸ線ビーム４００の厚みｔｈは、アパーチャ２２のアパーチャの開度により調節される。
【００３９】
Ｘ線管２０、アパーチャ２２およびＸ線検出器２４は、それらの相互関係を保ったまま被検体８の体軸の周りを回転する。１スキャン（scan）当たり複数のビュー、例えば１０００ビュー程度の投影データが収集される。投影データの収集は、Ｘ線検出器２４−データ収集部２６−データ収集バッファ６４の系統によって行われる。
【００４０】
データ収集バッファ６４に収集された投影データに基づいて、中央処理装置６０により断層像の生成すなわち画像再構成が行われる。
【００４１】
なお、ここでは、図２に示すように、被検体８の体軸方向、すなわち撮影テーブル４の被検体８の搬送方向をｚ方向とする。また、鉛直方向をｙ方向、ｙ方向およびｚ方向に直交する水平方向をｘ方向とする。
【００４２】
これより、本実施形態によるスキャン計画処理について説明する。
【００４３】
図３は、本実施形態に係るＸ線ＣＴ装置におけるスキャン計画処理に関わる部分の機能ブロック（block）図である。また、図４は、本実施形態によるスキャン計画処理の流れを表すフローチャートである。
【００４４】
図３に示すように、本Ｘ線ＣＴ装置は、スキャンプロトコル設定部６０２、スキャンプロトコル記憶部６０３、スカウトスキャン実行部（スカウト像取得手段）６０４、スキャンパラメータ調整・設定部６０５、被曝量予測値出力部６０６、スカウト像解析部６０７、小児／成人判定部（第１の判定手段）６０８、スキャン計画設定適否判定部（第２の判定手段）６０９、および注意表示・設定提示部（提示手段）６１０を有している。
【００４５】
スキャンプロトコル記憶部６０３は、スキャンプロトコルを記憶している。スキャンプロトコルは、頭部、胸部、腹部などの撮影部位ごとに用意されている。スキャンプロトコルには、複数種類のスキャンパラメータの値と、被曝量予測値の算出に用いる演算式とがプリセットされている。また、スキャンプロトコルは、撮影部位ごとに、小児用と成人用とが用意されている。小児用スキャンプロトコルには、小児向けのスキャンパラメータの値と、小児用の被曝量予測値の演算式とがプリセットされている。同様に、成人用スキャンプロトコルには、成人向けのスキャンパラメータの値と、成人用の被曝量予測値の演算式とがプリセットされている。
【００４６】
スキャンプロトコル設定部６０２は、操作者による操作に応じて、スキャンプロトコル記憶部６０３に記憶されているスキャンプロトコルのうちの１つを、スキャン計画処理上で扱うスキャンプロトコルとして設定する。
【００４７】
スカウトスキャン実行部６０４は、ガントリ２および撮影テーブル４を制御して、被検体８のＡＰ方向（正面方向）およびラテラル（lateral）方向（側面方向）の少なくとも一方のスカウトスキャンを実行する。これにより、被検体８をＸ線投影したスカウト像が取得される。
【００４８】
ここで、ＡＰ方向のスカウトスキャンの一例について説明する。便宜上、Ｘ線管２０が＋ｙ方向の最上位に位置するときを回転角度０°とする。例えば、まずＸ線管２０の回転角度を略０°または略１８０°に保持する。この状態でガントリ２および撮影テーブル４の少なくとも一方をｚ方向に移動させながらＸ線を照射し、被検体８の透過Ｘ線をＸ線検出器２４で検出する。Ｘ線検出器２４による検出データを基に、透過Ｘ線の強弱の分布を画素値に反映させて画像化する。これにより、スカウト像が得られる。なお、ここでは、スカウト像は、Ｘ線吸収が高いほど画素値が高くなるように表された画像とする。
【００４９】
スキャンパラメータ調整・設定部６０５は、操作者による操作に応じて、設定されたスキャンプロトコルにプリセットされているスキャンパラメータの値を所望の値に調整する。また、スキャンパラメータ調整・設定部６０５は、操作者による操作に応じて、スキャンプロトコルでプリセットされていない他のスキャンパラメータ、例えばスキャン範囲、スライス厚などを設定する。
【００５０】
被曝量予測値出力部６０６は、設定されたスキャンプロトコルにプリセットされている演算式を用いて、設定されているスキャンパラメータを基にスキャンを行った場合における被検体の被曝量予測値を算出し、出力する。被曝量予測値は、例えば、ＣＴＤＩやＤＬＰで算出する。
【００５１】
スカウト像解析部６０７は、取得されたスカウト像を解析して、被検体が小児であるか成人であるかを判定するのに用いる特徴量を求める。ここでは、一例として、スカウト像解析部６０７は、スカウト像９１に含まれている被検体８の所定の部位を認識する。そして、スカウト像解析部６０７は、その認識された所定の部位の大きさと、その部位に係る画像の画素値の大きさとを求める。被検体８が小児であれば、体格は成人と比較して小さいので、その所定の部位の大きさも小さくなる。また、被検体８が小児であれば、人体組織の密度も成人と比較して低いはずなので、その所定の部位の画素値（例えばＣＴ値相当のもの）の大きさも小さくなる。
【００５２】
小児／成人判定部６０８は、求められた特徴量を基に、被検体が小児であるか成人であるかを判定する。ここでは、一例として、求められた部位の大きさおよび部位の画素値の大きさが、認識された所定の部位の種類に対応付けられている条件を満たすか否かにより判定する。
【００５３】
スキャン計画設定適否判定部６０９は、被検体が小児であると判定された場合に、スキャン計画に係る項目の設定が小児向けであるか否かを判定する。
【００５４】
注意表示・設定提示部６１０は、スキャン計画に係る項目の設定が小児向けでないと判定された場合に、操作者に注意を喚起するための表示を行う。また、注意表示・設定提示部６１０は、スキャン計画に係る項目の設定が小児向けでないと判定された場合に、小児向けの設定を提示する。
【００５５】
これより、スキャン計画処理の流れについて説明する。
【００５６】
ステップ（step）Ｓ１では、操作者が、スキャンプロトコル記憶部６０３に記憶されているスキャンプロトコルの中から１つを選択する操作を行う。スキャンプロトコル設定部６０２は、操作者により選択されたスキャンプロトコルを、スキャン計画処理に用いるスキャンプロトコルとして設定する。スキャンプロトコル記憶部６０３には、例えば図５に示すようなスキャンプロトコルが記憶されている。この図の例では、胸部用スキャンプロトコルの小児用と成人用とを示している。
【００５７】
ステップＳ２では、スカウトスキャン実行部６０４が、スカウトスキャンを実行して、被検体８のスカウト像を取得する。スカウトスキャン実行部６０４は、例えば、被検体８の胸部周辺に対してＡＰ方向のスカウトスキャンを実行する。これにより、例えば図６に示すような胸部周辺のＡＰ方向のスカウト像９１が取得される。
【００５８】
スカウト像が取得されると、後述のステップＳ３，Ｓ４と、ステップＳ５〜Ｓ７とが、ほぼ並列に行われる。
【００５９】
ステップＳ３では、スカウト像解析部６０７が、スカウト像に含まれている被検体８の部位を認識する。スカウト像解析部６０７は、例えば、スカウト像９１に含まれている部位が、予め定められている複数の部位のうちいずれであるかを認識する。これら複数の部位は、例えば、頭部、肩部、肺部（肋骨）、心臓部、臀部（尾てい骨）、大腿部（大腿骨）などである。部位の認識には、例えばテンプレートマッチング（template matching）を用いる。なお、撮影部位が何らかの情報（例えば、スカウトスキャンの前に設定されるスキャンプロトコルの種類）から予測できる場合には、その撮影部位に含まれている部位に限定して、部位を探索してもよい。
【００６０】
スカウト像解析部６０７は、例えば、図７に示すように、スカウト像９１上で、肩の骨の形状を有しているテンプレートＴＰを用いてテンプレート・マッチングを行う。これにより、被検体８の両肩の骨の位置が検出され、肩部が認識される。
【００６１】
ステップＳ４では、スカウト像解析部６０７は、認識された部位の大きさと、その部位を表す画像の画素値の大きさとを求める。
【００６２】
スカウト像解析部６０７は、例えば、図７に示すように、検出された両肩の骨の中心点間の距離を肩幅Ｗとして求める。また、スカウト像解析部６０７は、図７に示すように、検出された両肩の骨の中心点の平均ｚ座標から±ｚ方向に所定の範囲を肩部の領域ＫＲとする。そして、肩部の領域ＫＲの各画素値をｘ方向に積算して投影し、肩部の領域ＫＲのｚ方向におけるｘ方向積算画素値Ｍの曲線を得る。そして、肩部の領域ＫＲにおけるｘ方向積算画素値Ｍの肩部最大値Ｍ１を、肩部の画素値の大きさを表す値として求める。
【００６３】
一方、ステップＳ５では、必要に応じて、操作者が、スキャンプロトコルの選択をし直す。スキャンプロトコルの再選択が行われた場合、スキャンプロトコル設定部６０２は、その再選択されたスキャンプロトコルを、スキャン計画処理に用いるスキャンプロトコルとして設定し直す。
【００６４】
ステップＳ６では、スキャンパラメータ調整・設定部６０５が、操作者による操作に応じて、設定されたスキャンプロトコルにプリセットされているスキャンパラメータの値を所望の値に調整する。また、スキャンパラメータ調整・設定部６０５は、操作者による操作に応じて、スキャンプロトコルでプリセットされていない他のスキャンパラメータ、例えばスキャン範囲、スライス厚などを設定する。
【００６５】
ステップＳ７では、被曝量予測値出力部６０６が、設定されたスキャンプロトコルにプリセットされている演算式を用いて、設定されているスキャンパラメータを基にスキャンを行った場合における被検体の被曝量予測値を算出し、出力する。操作者は、この被曝量予測値を参照して、設定されているスキャンパラメータの妥当性を確認する。
【００６６】
ステップＳ８では、小児／成人判定部６０８が、肩幅Ｗおよびｘ方向積算画素値Ｍの肩部最大値Ｍ１を基に、被検体８が小児であるか成人であるかを判定する。
【００６７】
小児／成人判定部６０８は、例えば図８に示すような判定基準を用いて判定する。すなわち、肩幅Ｗが１２０〔ｍｍ〕以上、３５０〔ｍｍ〕以下であり、ｘ方向積算画素値Ｍの肩部最大値Ｍ１が、相対的に小さい第１の閾値ＭＬ以上、相対的に大きい第２の閾値ＭＨ以下である場合に、被検体８を小児と判定する。また、肩幅Ｗが３５０〔ｍｍ〕を越えており、ｘ方向積算画素値Ｍの肩部最大値Ｍ１が、第２の閾値ＭＨを越えている場合には、被検体８を成人と判定する。なお、肩幅Ｗが１２０〔ｍｍ〕以上、３５０〔ｍｍ〕以下であっても、ｘ方向積算画素値Ｍの肩部最大値Ｍ１が、第２の閾値ＭＨを越える場合には、被検体８を成人と判定する。また、ｘ方向積算画素値Ｍの肩部最大値Ｍ１が、第１の閾値ＭＬ以上、第２の閾値ＭＨ以下であっても、肩幅Ｗが３５０〔ｍｍ〕を超える場合には、被検体８を成人と判定する。
【００６８】
ここで、被検体８が成人であると判定された場合には、スキャン計画に係る事項の設定が小児向けであるか確認する必要がないので、ステップＳ１１に進む。一方、被検体８が小児であると判定された場合には、スキャン計画に係る事項の設定が小児向けであるか確認するため、ステップＳ９に進む。
【００６９】
ステップＳ９では、スキャン計画設定適否判定部６０９が、スキャン計画に係る項目の設定が小児向けであるか否かを判定する。
【００７０】
例えば、スキャン計画設定適否判定部６０９は、設定されているスキャンプロトコルが小児用であるか否かを判定する。また、スキャン計画設定適否判定部６０９は、例えば図９あるいは図１０に示すような判定基準を基に、設定されているスキャンパラメータの値が小児向け条件を満たしているか否かを判定する。つまり、例えば、スキャンパラメータの値が、小児向けの所定の範囲内の値であるか否かを判定する。また例えば、設定可能範囲のうちの小児に最適な上限値または下限値であるか否か、言い換えると、設定可能なより適した値があるか否かなどを判定する。
【００７１】
ここで、スキャン計画に係る項目の設定が小児向けでないと判定された場合には、ステップＳ１０に進む。一方、スキャン計画に係る項目の設定が小児向けであると判定された場合には、ステップＳ１１に進む。
【００７２】
ステップＳ１０では、注意表示・設定提示部６１０が、スキャン計画に係る項目の設定が小児向けでないことを操作者に注意喚起するための表示を行ったり、小児向けの設定を提示したりする。例えば、設定されているスキャンプロトコルが小児用でない場合には、「スキャンプロトコルが小児用ではありません。確認してください。」などと表示する。また例えば、設定されているスキャンパラメータの値が小児向けでない場合には、「スキャンパラメータの値の設定が小児向けではありません。次の値を推奨します。」、「より小さい値が適しています。」、「より大きい値が適しています。」などと表示する。そして、図９に示すように、提示できる小児向けの条件や値がある場合には、それらを提示する。また例えば、設定されている被曝量予測値算出用の演算式が成人用である場合には、「被曝量予測値算出用として成人用演算式が設定されています。小児用演算式を推奨します。」などと表示する。
【００７３】
ステップＳ１１では、注意表示・設定提示部６１０が、スキャン計画に係る項目の設定を確定してよいかを操作者に問い合わせる表示を行う。ここで、操作者が確定の操作を行うと、スキャン計画に係る項目の設定、すなわちこの時点で設定されているスキャンプロトコルおよびスキャンパラメータの値を確定し、スキャン計画処理が終了する。一方、操作者が再設定希望の操作を行うと、ステップＳ５に戻り、操作者は設定をやり直す。
【００７４】
なお、スキャン計画処理が終了した後は、操作者による本スキャン開始の操作が行われると、確定されたスキャンパラメータの値を基に、被検体８の本スキャンが行われる。そして、この本スキャンにより得られた複数ビューの投影データを基に、画像再構成処理が行われ、被検体８の断層像が再構成される。
【００７５】
以上、上記の実施形態によれば、被検体が小児であるか否かを自動判定させ、小児であると判定されたときに、スキャン計画に係る項目の設定が小児向けであるか否かを自動判定させることができ、被検体が小児である場合に、小児向けでないスキャン計画の実施を防止することできる。特に、スキャンパラメータの値として成人向けの値が設定されてしまい、被検体８の被曝量が過大になってしまうことを防ぐことができる。また、被曝量予測値算出用の演算式として成人用が設定されてしまい、被検体８の実際の被曝量と大きく異なる予測値が算出されてしまうことを防ぐこともできる。また、スキャンタイムが大きく設定されてしまったり、ヘリカルピッチが小さく設定されてしまったりして、被検体８の体動によって被写体ぶれが発生してしまうことを防ぐこともできる。
【００７６】
なお、発明の実施形態は、上記の実施形態に限定されず、発明の趣旨を逸脱しない範囲において、種々の追加・変更等が可能である。
【００７７】
例えば、上記の実施形態では、被検体８のＡＰ方向のスカウト像を解析し、その解析結果を基に、被検体８が小児であるか成人であるかを判定している。しかし、被検体８のラテラル方向のスカウト像、あるいはＡＰ方向とラテラル方向の両方のスカウト像を解析して、被検体８が小児であるか成人であるかを判定してもよい。
【００７８】
また例えば、上記の実施形態では、スカウト像に含まれている部位を認識し、その部位の大きさ、および、その部位の画素値の大きさを基に、被検体８が小児であるか成人であるかを判定している。しかし、部位の大きさおよび部位の画素値の大きさのいずれか一方を基に判定してもよい。また、部位の大きさや部位の画素値の大きさに限らず、例えば複数の解剖学的特徴点間の距離を基に判定してもよい。
【００７９】
また例えば、上記の実施形態では、スキャン計画に係る項目の設定が小児向けでないと判定された場合に、注意喚起のための表示、さらには、小児向けの設定の提示を行っている。しかし、注意喚起のための表示を行わずに、小児向けの設定の提示だけを行うようにしてもよい。また、注意喚起は、表示だけでなく、サウンド、音声、ランプ等により行われてもよい。
【００８０】
また例えば、上記の実施形態では、スカウト像を取得する前に、一旦、スキャンプロトコルを設定しているが、スキャンプロトコルがスカウトスキャンと独立して設定可能であれば、このスキャンプロトコルの設定は省略してもよい。
【００８１】
また例えば、上記の実施形態では、設定するスキャンパラメータとして、スキャンタイム、Ｘ線管電流、Ｘ線管電圧、およびヘリカルピッチなどを想定しているが、もちろん、これらに限定されず、その他のスキャンパラメータを扱ってもよい。
【符号の説明】
【００８２】
２ ガントリ
４ 撮影テーブル
６ 操作コンソール
８ 被検体
２０ Ｘ線管
２２ アパーチャ
２４ Ｘ線検出器
２５ コリメータ板
２６ データ収集部
２８ Ｘ線コントローラ
３０ アパーチャコントローラ
３４ 回転部
３６ 回転コントローラ
６０ 中央処理装置
６２ 制御インタフェース
６４ データ収集バッファ
６６ 記憶装置
６８ 表示装置
７０ 入力装置
９１ スカウト像
４００ Ｘ線ビーム
６０２ スキャンプロトコル設定部
６０３ スキャンプロトコル記憶部
６０４ スカウトスキャン実行部６０４（スカウト像取得手段）
６０５ スキャンパラメータ調整・設定部
６０６ 被曝量予測値出力部
６０７ スカウト像解析部
６０８ 小児／成人判定部（第１の判定手段）
６０９ スキャン計画設定適否判定部（第２の判定手段）
６１０ 注意表示・設定提示部（提示手段）
【図１】
0005535826.tif 000002
【図２】
0005535826.tif 000003
【図３】
0005535826.tif 000004
【図４】
0005535826.tif 000005
【図５】
0005535826.tif 000006
【図６】
0005535826.tif 000007
【図７】
0005535826.tif 000008
【図８】
0005535826.tif 000009
【図９】
0005535826.tif 000010
【図１０】
0005535826.tif 000011